(57)【要約】      （修正有）【課題】情報表示携帯端末装置向けに適したウェブサイト（ホームページ）の情報表示方法を提供する。【解決手段】情報表示携帯端末装置の表示手段にウェブサイトのホームページ情報を表示するウェブサイトの情報表示方法。ホームページ情報は、ホームページ主画像情報を含む主ページ情報と、ホームページ主画像情報と別の情報を含むスライドバー情報とを含み、スライドバー情報は、ホームページ主画像情報にスライドバー表示を含めて表示するためのバー表示情報と、ホームページ主画像情報とは異なるホームページ副画像情報とを含んでいる。スライドバー情報のバー表示情報は、表示手段に表示されたホームページ主画像情報の主ページ情報領域の一部にバー表示領域として表示され、バー表示領域を入力操作すると、ホームページ主画像情報に代えてホームページ副画像情報が表示される。【選択図】図３
2014006607.tif 000002
【特許請求の範囲】
【請求項１】
情報表示携帯端末装置の表示手段にウェブサイトのホームページ情報を表示するウェブサイトの情報表示方法において、
前記ホームページ情報は、ホームページ主画像情報を含む主ページ情報と、前記ホームページ主画像情報と別の情報を含むスライドバー情報とを含み、前記スライドバー情報は、前記ホームページ主画像情報にスライドバー表示を含めて表示するためのバー表示情報と、前記ホームページ主画像情報とは異なるホームページ副画像情報とを含み、前記バー表示情報は、前記表示手段に表示された前記ホームページ主画像情報の主ページ情報領域の一部にバー表示領域として表示され、前記バー表示領域を入力操作すると、前記ホームページ主画像情報に代えて前記ホームページ副画像情報が表示されることを特徴とするウェブサイトの情報表示方法。
【請求項２】
前記バー表示情報の前記バー表示領域は、前記ホームページ主画像情報の前記主ページ情報領域の上端部に設けられていることを特徴とする請求項１に記載のウェブサイトの情報表示方法。
【請求項３】
前記バー表示情報の前記バー表示領域は、前記ホームページ主画像領域の片側部及び／又は他側部に設けられていることを特徴とする請求項１又は２に記載のウェブサイトの情報表示方法。
【請求項４】
前記バー表示情報の前記バー表示領域への表示は、前記主ページ情報及び前記スライドバー情報を含む特定ホームページ情報をダウンロードすると行われ、前記特定ホームページ情報を所定時間継続して閲覧すると終了することを特徴とする請求項１〜３のいずれかに記載のウェブサイトの情報表示方法。
【請求項５】
情報を処理するための情報処理手段と、画像情報を表示するための表示手段と、ウェブサイトのホームページ情報を格納するための情報格納手段と、を備えた情報表示携帯端末装置において、
前記ホームページ情報は、ホームページ主画像情報を含む主ページ情報と、前記ホームページ主画像情報と別の情報を含むスライドバー情報とを含み、前記スライドバー情報は、前記ホームページ主画像情報にスライドバー表示を含めて表示するためのバー表示情報と、前記ホームページ主画像情報とは異なるホームページ副画像情報とを含んでおり、
前記情報処理手段は、前記情報格納手段に格納された前記ホームページ情報を前記表示手段に表示する際に、前記ホームページ主画像情報の主ページ情報領域の一部に前記バー表示情報のバー情報領域を設けて表示し、また前記バー表示領域を入力操作すると前記ホームページ主画像情報に代えて前記ホームページ副画像情報を表示することを特徴とする情報表示携帯端末装置。
【請求項６】
情報表示携帯端末装置の表示手段にウェブサイトのホームページ情報を表示するウェブサイトの情報表示方法において、
前記ホームページ情報は、ホームページ主画像情報を含む主ページ情報と、前記ホームページ主画像情報と別の情報を含むスライドバー情報とを含み、前記スライドバー情報は、スライドバー表示を含めて表示するためのバー表示情報と、前記ホームページ主画像情報とは異なるホームページ副画像情報とを含み、前記ホームページ主画像情報は、前記表示手段のフリースペース領域に表示され、前記バー表示情報は、前記表示手段の通知バー領域又はスクリーンインジケータ領域にバー表示領域として表示され、前記バー表示領域を入力操作すると、前記ホームページ主画像情報に代えて前記ホームページ副画像情報が表示されることを特徴とするウェブサイトの情報表示方法。
【請求項７】
前記バー表示領域への前記バー表示情報の表示は、前記主ページ情報及び前記スライドバー情報を含む特定ホームページ情報をダウンロードすると行われ、前記特定ホームページ情報を所定時間継続して閲覧すると終了することを特徴とする請求項６に記載のウェブサイトの情報表示方法。
【請求項８】
情報を処理するための情報処理手段と、画像情報を表示するための表示手段と、ウェブサイトのホームページ情報を格納するための情報格納手段と、を備えた情報表示携帯端末装置において、
前記ホームページ情報は、ホームページ主画像情報を含む主ページ情報と、前記ホームページ主画像情報と別の情報を含むスライドバー情報とを含み、前記スライドバー情報は、前記ホームページ主画像情報にスライドバー表示を含めて表示するためのバー表示情報と、前記ホームページ主画像情報とは異なるホームページ副画像情報とを含んでおり、
前記表示手段は、通常の情報を表示するフリースペース領域と、通知情報を表示する通知バー領域及び／又は前記フリースペース領域に表示されている画像のページ情報を表示するスクリーンインジケータ領域とを含み、
前記情報処理手段は、前記情報格納手段に格納された前記ホームページ情報を前記表示手段に表示する際に、前記ホームページ主画像情報を前記表示手段の前記フリースペース領域に表示するとともに、前記バー表示情報を前記表示手段の前記通知バー領域又は前記スクリーンインジケータ領域に前記バー表示領域として表示し、また前記バー表示領域を入力操作すると前記ホームページ主画像情報に代えて前記ホームページ副画像情報を前記フリースペース領域に表示することを特徴とする情報表示携帯端末装置。
【発明の詳細な説明】
【技術分野】
【０００１】
本発明は、ウェブサイトのホームページ情報を表示する情報表示方法及び情報表示携帯端末装置に関する。
【背景技術】
【０００２】
近年、スマートフォンと称される情報表示携帯端末装置が急速に拡がっている（例えば、非特許文献１参照）。この情報表示携帯端末装置は、情報を処理するための情報処理手段（ＣＰＵ）と、画像情報を表示するための表示手段（液晶表示装置）と、情報を格納するための情報格納手段（メモリ）と、情報を送受信するための送受信手段とを備えている。この情報表示携帯端末装置は、携帯性を重視するために小型化が図られ、表示手段の大きさも３．５〜４．３インチ程度であり、多くの情報を一度に表示するのは難しく、一度に表示した場合、表示手段の画面に表示される文字などが小さくなって見づらくなる。
【０００３】
このようなことから、ウェブサイトのホームページにおいて、この種の情報表示携帯端末装置向けの専用ページも作成されており、この専用ページでは、ホームページの画像情報が情報表示携帯端末装置の表示手段の画面の大きさに適した大きさに編集されて見やすくなっている。
【先行技術文献】
【非特許文献】
【０００４】
【非特許文献１】インターネットのウェブサイト「動画マニュアル．ＣＯＭ」における「アンドロイド（ａｎｄｒｏｉｄ）スマートフォン  Ｘｐｅｒｉａ  ａｒｃ  使い方」
【発明の概要】
【発明が解決しようとする課題】
【０００５】
しかしながら、この情報表示携帯端末装置向けの専用ページであっても、ホームページの画像情報が一つのページから構成されているために、その情報量が多くなるとホームページの長さが長くなり、ホームページ内の所望の情報を探すのにフリック操作を繰り返し行って見付けなければならず、その操作が煩雑になるとともに、探し出すのに時間を要するという問題がある。
【０００６】
本発明の目的は、情報表示携帯端末装置向けに適したウェブサイトの情報表示方法を提供することである。
【０００７】
また、本発明の他の目的は、ウェブサイトのホームページの情報を探し易く表示することができる情報表示携帯端末装置を提供することである。
【課題を解決するための手段】
【０００８】
本発明の請求項１に記載のウェブサイトの情報表示方法は、情報表示携帯端末装置の表示手段にウェブサイトのホームページ情報を表示するウェブサイトの情報表示方法において、
前記ホームページ情報は、ホームページ主画像情報を含む主ページ情報と、前記ホームページ主画像情報と別の情報を含むスライドバー情報とを含み、前記スライドバー情報は、前記ホームページ主画像情報にスライドバー表示を含めて表示するためのバー表示情報と、前記ホームページ主画像情報とは異なるホームページ副画像情報とを含み、前記バー表示情報は、前記表示手段に表示された前記ホームページ主画像情報の主ページ情報領域の一部にバー表示領域として表示され、前記バー表示領域を入力操作すると、前記ホームページ主画像情報に代えて前記ホームページ副画像情報が表示されることを特徴とする。
【０００９】
また、本発明の請求項２に記載のウェブサイトの情報表示方法では、前記バー表示情報の前記バー表示領域は、前記ホームページ主画像情報の前記主ページ情報領域の上端部に設けられていることを特徴とする。
【００１０】
また、本発明の請求項３に記載のウェブサイトの情報表示方法では、前記バー表示情報の前記バー表示領域は、前記ホームページ主画像領域の片側部及び／又は他側部に設けられていることを特徴とする。
【００１１】
また、本発明の請求項４に記載のウェブサイトの情報表示方法では、前記バー表示情報の前記バー表示領域への表示は、前記主ページ情報及び前記スライドバー情報を含む特定ホームページ情報をダウンロードすると行われ、前記特定ホームページ情報を所定時間継続して閲覧すると終了することを特徴とする。
【００１２】
また、本発明の請求項５に記載のウェブサイトの情報表示携帯端末装置は、情報を処理するための情報処理手段と、画像情報を表示するための表示手段と、ウェブサイトのホームページ情報を格納するための情報格納手段と、を備えた情報表示携帯端末装置において、
前記ホームページ情報は、ホームページ主画像情報を含む主ページ情報と、前記ホームページ主画像情報と別の情報を含むスライドバー情報とを含み、前記スライドバー情報は、前記ホームページ主画像情報にスライドバー表示を含めて表示するためのバー表示情報と、前記ホームページ主画像情報とは異なるホームページ副画像情報とを含んでおり、
前記情報処理手段は、前記情報格納手段に格納された前記ホームページ情報を前記表示手段に表示する際に、前記ホームページ主画像情報の主ページ情報領域の一部に前記バー表示情報のバー情報領域を設けて表示し、また前記バー表示領域を入力操作すると前記ホームページ主画像情報に代えて前記ホームページ副画像情報を表示することを特徴とする。
【００１３】
また、本発明の請求項６に記載のウェブサイトの情報表示方法は、情報表示携帯端末装置の表示手段にウェブサイトのホームページ情報を表示するウェブサイトの情報表示方法において、
前記ホームページ情報は、ホームページ主画像情報を含む主ページ情報と、前記ホームページ主画像情報と別の情報を含むスライドバー情報とを含み、前記スライドバー情報は、スライドバー表示を含めて表示するためのバー表示情報と、前記ホームページ主画像情報とは異なるホームページ副画像情報とを含み、前記ホームページ主画像情報は、前記表示手段のフリースペース領域に表示され、前記バー表示情報は、前記表示手段の通知バー領域又はスクリーンインジケータ領域にバー表示領域として表示され、前記バー表示領域を入力操作すると、前記ホームページ主画像情報に代えて前記ホームページ副画像情報が表示されることを特徴とする。
【００１４】
また、本発明の請求項７に記載のウェブサイトの情報表示方法では、前記バー表示領域への前記バー表示情報の表示は、前記主ページ情報及び前記スライドバー情報を含む特定ホームページ情報をダウンロードすると行われ、前記特定ホームページ情報を所定時間継続して閲覧すると終了することを特徴とする。
【００１５】
更に、本発明の請求項８に記載の情報表示携帯端末装置は、情報を処理するための情報処理手段と、画像情報を表示するための表示手段と、ウェブサイトのホームページ情報を格納するための情報格納手段と、を備えた情報表示携帯端末装置において、
前記ホームページ情報は、ホームページ主画像情報を含む主ページ情報と、前記ホームページ主画像情報と別の情報を含むスライドバー情報とを含み、前記スライドバー情報は、前記ホームページ主画像情報にスライドバー表示を含めて表示するためのバー表示情報と、前記ホームページ主画像情報とは異なるホームページ副画像情報とを含んでおり、
前記表示手段は、通常の情報を表示するフリースペース領域と、通知情報を表示する通知バー領域及び／又は前記フリースペース領域に表示されている画像のページ情報を表示するスクリーンインジケータ領域とを含み、
前記情報処理手段は、前記情報格納手段に格納された前記ホームページ情報を前記表示手段に表示する際に、前記ホームページ主画像情報を前記表示手段の前記フリースペース領域に表示するとともに、前記バー表示情報を前記表示手段の前記通知バー領域又は前記スクリーンインジケータ領域に前記バー表示領域として表示し、また前記バー表示領域を入力操作すると前記ホームページ主画像情報に代えて前記ホームページ副画像情報を前記フリースペース領域に表示することを特徴とする。
【発明の効果】
【００１６】
本発明の請求項１に記載のウェブサイトの情報表示方法及び請求項５に記載の情報表示携帯端末装置によれば、ホームページ情報は主ページ情報及びスライドバー情報を含み、このスライドバー情報は、ホームページ主画像情報にスライドバー表示を含めて表示するためのバー表示情報と、ホームページ副画像情報とを含み、ホームページ情報を取り込んだ際には、このバー表示情報は、表示手段に表示されたホームページ主画像情報の主ページ情報領域の一部にバー表示領域として表示されるので、バー表示情報を容易に見付けて入力操作を行うことができる。また、バー表示情報を表示するバー表示領域を入力操作すると、ホームページ主画像情報に代えてホームページ副画像情報が表示されるので、取り込んだホームページ情報からホームページ副画像情報を表示することができ、このホームページ副画像情報を利用することにより所望の情報を容易に見付けることができる。尚、このホームページ副画像情報とは、ホームページ主画像情報から所望の画像情報を検索するための検索画像情報、ホームページ主画像情報の所定画像情報にリンクさせた目次画像情報などである
また、本発明の請求項２に記載のウェブサイトの情報表示方法によれば、バー表示情報のバー表示領域がホームページ主画像情報の主ページ情報領域の上端部に設けられているので、ホームページ情報を取り込んだ際に容易に見付けることができ、そして、このバー表示領域を入力操作してホームページ副画像情報を利用することによって、所望の情報を容易に見付けることができる。
【００１７】
また、本発明の請求項３に記載のウェブサイトの情報表示方法によれば、バー表示情報のバー表示領域がホームページ主画像領域の片側部（及び／又は他側部）に設けられているので、この片側部（及び／又は他側部）のバー表示領域を入力操作することによって、ホームページ副画像情報を容易に表示することができる。
【００１８】
また、本発明の請求項４に記載のウェブサイトの情報表示方法によれば、バー表示情報のバー表示領域への表示が特定ホームページ情報をダウンロードすると行われるので、ダウンロードして所望の情報を見付け出す際に利用し易くなり、特定ホームページ情報から所望の情報を容易に見付けることが可能となる。また、特定ホームページ情報を所定時間継続して閲覧した後はバー表示情報の表示が終了するので、表示手段にはホームページ主画像情報が表示され、通常の表示形式でもってホームページ主画像情報を閲覧することができる。
【００１９】
また、本発明の請求項６に記載のウェブサイトの情報表示方法及び請求項８に記載の情報表示携帯端末装置によれば、ホームページ情報は主ページ情報及びスライドバー情報を含み、このスライドバー情報は、スライドバー表示を表示するためのバー表示情報と、ホームページ副画像情報とを含み、ホームページ情報を取り込んだ際には、このバー表示情報は、表示手段の通知バー領域又はスクリーンインジケータ領域にバー表示領域として表示されるので、バー表示領域を容易に見付けて入力操作を行うことができる。また、バー表示情報を表示するバー表示領域を入力操作すると、ホームページ主画像情報に代えてホームページ副画像情報が表示されるので、取り込んだホームページ情報からホームページ副画像情報を表示することができ、このホームページ副画像情報を利用することにより所望の情報を容易に見付けることができる。
【００２０】
更に、本発明の請求項７に記載のウェブサイトの情報表示方法によれば、バー表示情報の表示が特定ホームページ情報をダウンロードすると行われるので、ダウンロードして所望の情報を見付け出す際に利用し易くなる。また、特定ホームページ情報を所定時間継続して閲覧した後はバー表示情報の表示が終了して通知バー（又はスクリーンインジケータ）の表示に戻るので、通知バー（又はスクリーンインジケータ）の通常の機能に戻すことができる。
【図面の簡単な説明】
【００２１】
【図１】本発明に従う情報表示携帯端末装置の第１の実施形態を示す正面図。
【図２】図１の情報表示携帯端末装置の制御系を簡単に示すブロック図。
【図３】図１の情報表示携帯端末装置におけるウェブサイトの閲覧の流れを示すフローチャート。
【図４】スライドバー情報を含まないホームページ情報を表示した状態を示す図。
【図５】スライドバー情報を含むホームページ情報を表示した状態を示す図。
【図６】ホームページ副画像情報を表示手段に表示した状態を示す図。
【図７】バー表示領域の他の例を示す図。
【図８】本発明に従う情報表示携帯端末装置の第２の実施形態を示す正面図。
【図９】図８の情報表示携帯端末装置の制御系を簡単に示すブロック図。
【図１０】図８の情報表示携帯端末装置におけるウェブサイトの閲覧の流れを示すフローチャート。
【発明を実施するための形態】
【００２２】
以下、添付図面を参照して、本発明に従う情報表示携帯端末装置（及び本発明に従うウェブサイトの情報表示方法）について説明する。
【００２３】
〔第１の実施形態〕
まず、図１〜図７を参照して、第１の実施形態の情報表示携帯端末装置について説明する。図１及び図２において、図示の情報表示携帯端末装置２（例えば、多機能携帯電話装置、所謂スマートフォン）は、略矩形状の端末装置本体４を備え、この端末装置本体４の表面に画像情報を表示するための表示手段６が設けられている。表示手段６は、例えば液晶表示装置、有機ＥＬ表示装置などから構成され、その画面に触れることによって各種の入力操作を行うことができ、この表示手段６は、後述の記載からも理解されるように、入力手段８（図２参照）としても機能する。
【００２４】
この端末装置本体４には、表示手段６の上側に音声入力手段１０及び音声出力手段１２が設けられている。音声入力手段１０は小型のマイクから構成され、この音声入力手段１０を通して音声入力を行うことができる。また、音声出力手段１２は小型のスピーカから構成され、この音声出力手段から音声情報を出力することができる。
【００２５】
この端末装置本体４には、更に、情報を送受信するための送受信手段１４、情報表示携帯端末装置２を制御するための制御手段１６及び各種情報を格納するための情報格納手段１８が内蔵されている。送受信手段１４は送受信回路（送受信用ＩＣ）などから構成され、情報格納手段１８はメモリなどから構成される。また、制御手段１６は、例えばマイクロプロセッサ（ＣＰＵ）から構成され、情報を後述する如く処理するための情報処理手段２０と、表示手段６の表示を切り換えるための表示切換手段２２とを含んでいる。
【００２６】
この端末装置本体４には、更に、表示手段６の下側に各種入力ボタン２４，２６，２８が設けられている。左側の入力ボタン２４はメニューボタンで有り、この入力ボタン２４を押すと、表示手段６にメニュー画面情報が表示される。中央の入力ボタン２６はホームボタンであり、この入力ボタン２６を押圧すると、表示手段６にホーム画面情報が表示される。また、右側の入力ボタン２８は戻りボタンであり、この入力ボタン２６を押圧すると、表示手段６に表示された画面情報が一つ前の画面情報に戻る。
【００２７】
また、この端末装置本体４の表示手段６の画面領域３０は、次のように構成されている。即ち、この画面領域３０の上端部に通知バー領域３２が設けられ、通知バー領域３２の下側にフリースペース領域３４が設けられ、このフリースペース領域３４の上端部にウィジェット領域３６が設けられ、このウィジェット領域３６の下側に主ページ情報領域３７が設けられる。ウィジェット領域３６には、例えばインターネットの検索サイトの検索機能が設けられ、この検索機能に代えて、時計やカレンダーなどの機能を設けることもできる。
【００２８】
ウェブサイトのホームページ情報は、このフリースペース領域３４に表示され、ウェブサイトのホームページ情報を表示するときには、このウィジェット領域３６の領域に取得したホームページ情報のホームページアドレスが表示される。
【００２９】
この情報表示携帯端末装置２では、インターネットにおけるウェブサイトのホームページ情報は、次の通りにして閲覧することができる。この実施形態では、ホームページ情報としてホームページ主画像情報から構成される主ページ情報からなるもの（従来のホームページ情報）と、この主ページ情報に加えてスライドバー情報を含むもの（新規なホームページ情報）とを表示することができる。
【００３０】
ホームページ情報については、従来と同様に、情報表示携帯端末装置２の表示手段６のフリースペース領域３４に表示される。主ページ情報からなるものについては、ホームページ情報を取得したときには、フリースペース領域３４のウィジェット領域３６に取得したホームページアドレスが表示され、このフリースペース領域３４の主ページ情報領域３７に主ページ情報が表示される（図４参照）。そして、この画面領域３０の主ページ情報領域３７を上側に軽くフリックする（指で軽く撫でる操作を行う）と、ウィジェット領域３６が消えてフリースペース領域３４全体が主ページ情報領域３７となって主ページ情報が表示される。従来のホームページ情報は、主ページ情報から構成されており、このようなホームページ情報では、主ページ情報を表示する主ページ情報領域３７を上側にフリックすると、主ページ情報が上側にスライドし、また主ページ表示領域３７を下側にフリックすると、主ページ情報が下側にスライドし、このようにフリックすることによって、主ページ情報中の所望の情報を検索することができる。
【００３１】
また、主ページ情報及びスライドバー情報を含むものについては、次のように表示手段６に表示される。スライドバー情報は、ホームページ情報のホームページ主画像情報と異なる別の情報を表示するための情報であり、ホームページ主画像情報にスライドバー表示を含めて表示するためのバー表示情報と、ホームページ主画像情報と異なるホームページ副画像情報とを含んでいる。この実施形態では、スライドバー情報のバー表示情報は、このフリースペース領域３４における、ウィジェット領域３６に続くバー情報領域３８に表示され（図５参照）、このバー表示領域３８を下側にスライドさせると、このバー表示領域３８が下側にスライド移動する。そして、バー情報領域３８をフリースペース領域３４の下端部まで移動させると、ホームページ主画像情報を覆うようにホームページ副画像情報が表示される。この表示状態において、下側まで移動したバー表示領域３８を上側にスライド移動させると、ホームページ副画像情報が上側に消え、フリースペース３４の上端部まで移動させると、フリースペース領域３４にホームページ主画像情報が表示される。
【００３２】
次に、図１及び図２とともに図３〜図６を参照して、上述した情報表示携帯端末装置２を用いたウェブサイトの情報閲覧操作について説明する。主として図３を参照して、情報表示携帯端末装置２を用いてウェブサイトの特定のホームページ（「ＨＰ」と略称することもある）を指定するように入力操作すると、ステップＳ１からステップＳ２に進み、サーバ（図示せず）に登録された特定ホームページ情報が送受信手段１４を介してダウンロードされ、取得した特定ホームページ情報が情報表示携帯端末装置２の情報格納手段１８に格納され、この情報格納手段１８に格納された特定ホームページ情報を表示手段６で閲覧するようになる。
【００３３】
この特定ホームページ情報にスライドバー情報が含まれていないときには、ステップＳ４からステップＳ５に進み、情報表示携帯端末装置２の表示手段６に特定ホームページ情報が表示される。即ち、図４に示すように、表示手段６の画面領域３０の上端部の通知バー領域３２に通知情報が表示され、この通知バー領域３２の下側のフリースペース領域３４のウィジェット領域３６に、例えば特定ホームページのアドレスが表示され、このウィジェット領域３６に続く主ページ情報領域３７に特定ホームページのホームページ主画像情報が表示される。ホームページ主画像情報とは、インターネットを介して公開することを目的として作成された会社、個人などの各種情報であり、会社においては会社情報、商品情報、技術情報などであり、個人においては家族情報、生活情報などである。
【００３４】
このような表示状態にいて、ホームページ主画像情報を表示する主ページ表示領域３７を上側にフリックすると、ウィジェット領域３６が消えてフリースペース領域３４の全体に主ページ情報（ホームページ主画像情報）が表示される。ホームページ情報が主ページ情報のみからなる場合、この主ページ表示領域３７を上側にフリックすると、主ページ表示領域３７に表示される主ページ情報（ホームページ主画像情報）が上側にスライド移動し、また主ページ表示領域３７を下側にフリックすると、主ページ情報が下側にスライド移動し、主ページ情報の上端部（トップ部分）まで移動すると、ウィジェット領域３６が再び表示される。
【００３５】
また、特定ホームページ情報にスライドバー情報が含まれているときには、ステップＳ４からステップＳ６に進み、情報表示携帯端末装置２の表示手段６に、スライドバー情報を含む特定ホームページ情報が表示される。即ち、図５に示すように、表示手段６の画面領域３０の上端部の通知バー領域３２に通知情報が表示され、この通知バー領域３２の下側のフリースペース領域３４のウィジェット領域３６に、例えば特定ホームページのアドレスが表示され、またフリースペース領域３４のバー表示領域３８にバー表示情報（スライドバー表示）が表示され（図５参照）、更にバー表示領域３８の下側の主ページ表示領域３７に主ページ情報（ホームページ主画像情報）が表示される。
【００３６】
このような表示状態において、このバー表示領域３８を下側にフリースペース領域３４の下端部までスライドさせると、ステップＳ７からステップＳ８に進み、図６に示すように、バー表示領域３８が画面領域３０の下端部に移り、フリースペース領域３４のウィジェット領域３６とバー表示領域３８との間に主ページ表示領域３７が位置し、この主ページ表示領域３７にホームページ主画像情報を覆うようにしてホームページ副画像情報が表示される。即ち、情報表示携帯端末装置２の情報処理手段２０は、情報格納手段１８に格納されたホームページ副画像情報を読み出し、表示切換手段２２は、ホームページ主画像情報から読み出したホームページ副画像情報に切り換えて表示する。
【００３７】
尚、このような表示に代えて、バー表示領域３８をフリースペース領域３４の下端部までスライドさせると、フリースペース領域３４のウィジェット領域３６及び主ページ表示領域３７を覆うようにバー表示領域３８が下側に移動し、ウィジェット領域３６及び主ページ表示領域３７にホームページ副画像情報を表示するようにしてもよい。
【００３８】
この実施形態では、ホームページ副画像情報がホームページ主画像情報と異なる検索画像情報から構成されており、従って、バー表示領域３８を上述したように下側にスライド操作すると、この検索画像情報（ホームページ副画像情報）が主ページ表示領域３７に表示される。そして、この検索画像情報が表示された状態において、例えばキーワード検索欄（又はカテゴリー検索欄、ジャンル検索欄）の入力領域に検索キーワードを入力操作して検索操作すると、情報処理手段２０は、特定ホームページ主画像情報（図示しないサーバに登録された特定ホームページ主画像情報又は情報格納手段１８に格納された主画像情報）を通してのキーワード検索が行われ、その検索結果情報が、検索画像情報を覆うように主ページ表示領域３７に表示される。
【００３９】
この実施形態では、ホームページ副画像情報として検索画像情報が登録されているので、バー表示領域３８を入力操作する（即ち、下側にスライド操作する）と、主ページ表示領域３７に検索画像情報が表示され、この検索画像情報を利用することによって、ホームページ主画像情報のうち必要な情報を簡単に且つ短時間に表示することができる。
【００４０】
主ページ表示領域３７に表示された検索画像情報を閉じるには、画像領域３０の下端部に移動したバー表示領域３８を上述したように上側にスライド操作すればよく、かく操作すると、ステップＳ９からステップＳ６に戻り、バー表示領域３８が上側に移動し、検索画像情報の下側に隠れていたホームページ主画像情報が主ページ表示領域３７に表示される。
【００４１】
この実施形態においては、ホームページ副画像情報として検索画像情報を採用しているが、このような情報に代えて、例えばホームページ主画像情報に関する目次画像情報、ホームページ主画像情報に追加した最新画像情報、ホームページ主画像情報に掲載された商品情報のうちのキャンペーン商品情報などを採用することもできる。
【００４２】
尚、図５に示すように、表示手段６の画面領域３０の通知バー領域３２に通知情報が、フリースペース領域３４のウィジェット領域３６に特定ホームページのアドレスが、またフリースペース領域３４のバー表示領域３８にバー表示情報（スライドバー表示）が、更にフリースペース領域３４の主ページ表示領域３７に主ページ情報（ホームページ主画像情報）が表示されている状態において、この主ページ表示領域３７を上側にフリックすると、表示されている主ページ情報が上側に移動し、ウィジェット領域３６及びバー表示領域３８が消えてフリースペース領域３４の全体が主ページ情報領域３７となって主ページ情報が表示され、またこの主ページ表示領域３７を下側にフリックすると、主ページ情報が下側にスライドする。
【００４３】
この実施形態では、フリースペース領域３４の上端部に一つのバー表示領域３８を設けているが、このバー表示領域３８を横方向（図１及び図４〜図６において左右方向）に二つに分け、二つのホームページ副画像情報を表示できるようにすることもできる。例えば、バー表示領域３８の左部を第１領域部とし、この第１領域部に対応して第１ホームページ副画像情報（例えば、検索画像情報）を登録し、またその右部を第２領域部とし、この第２領域部に対応して第２ホームページ副画像情報（例えば、目次画像情報）を登録するようにすることもできる。この場合、バー表示領域３８の第１領域部を下側にスライド移動させると、画像領域３０の主ページ表示領域３７の全体に第１ホームページ副画像情報が表示され、またその第２領域部を下側にスライド移動させると、この主ページ表示領域３７の全体に第２ホームページ副画像情報が表示される。尚、このバー表示領域３８を横方向に三つ以上に分け、分けた領域部に対応させてホームページ副画像情報を登録するようにすることもできる。
【００４４】
このようなバー表示領域は、図７に示すように設けることもできる。図７において、この他の例では、バー表示領域３８Ａは、表示手段６の主ページ表示領域３７の片側部（図７において左側部）に設けられている。即ち、バー表示領域３８Ａは、主ページ情報（ホームページ主画像情報）の片側部に、その上端部から下端部にわたって表示されるように設けられている。このように構成することによって、主ページ表示領域３７に主ページ情報が表示されているときには、常に、この主ページ情報との関連でバー表示領域３８Ａにバー表示情報が表示される。従って、ホームページ副画像情報を見たいときには、このバー表示領域３８Ａを右側にスライドして主ページ表示領域３７の右端部まで移動させると、この主ページ表示領域３７の全体にホームページ副画像情報（例えば、検索画面情報）が表示され、このホームページ副画像情報を閉じるときには、右端部に位置するバー表示領域３８Ａを左側にスライドしてその左端部に移動させればよい。このようにバー情報領域３８Ａを設けた場合にも、上述したと同様の効果を達成することができる。
【００４５】
このバー表示領域３８Ａは、主ページ表示領域３７の他側部（図７において右側部）に設けるようにしてもよく、この場合、バー表示領域３８Ａを左側にスライドし、主ページ表示領域３７の左端部まで移動させると、この主ページ表示領域３７の全体にホームページ副画像情報が表示され、このホームページ副画像情報を閉じるときには、左端部に位置するバー表示領域３８Ａを右側にスライドしてその右端部に移動させればよい。
【００４６】
このバー表示領域３８Ａは、主ページ表示領域３７の片側部及び他側部の双方に設けるようにしてもよく、この場合、二つのホームページ副画像情報を表示することができる。例えば、バー表示領域３８Ａの片側部のものを第１領域部とし、この第１領域部に対応して第１ホームページ副画像情報（例えば、検索画像情報）を登録し、またその他側部を第２領域部とし、この第２領域部に対応して第２ホームページ副画像情報（例えば、目次画像情報）を登録するようにする。この場合、バー表示領域３８Ａの第１領域部を右側にスライド移動させると、画像領域３０の主ページ表示領域３７の全体に第１ホームページ副画像情報が表示され、またその第２領域部を左側にスライド移動させると、この主ページ表示領域３７の全体に第２ホームページ副画像情報が表示される。
次に、図８〜図１０を参照して、情報表示携帯端末装置の第２の実施形態について説明する。この第２の実施形態においては、スライドバー情報の表示方法に改良が施されている。尚、この第２の実施形態において、上述した第１の実施形態と実質上同一の部材には同一の参照番号を付し、その説明を省略する。
【００４７】
図８及び図９において、この第２の実施形態の情報表示携帯端末装置２Ｂにおいては、表示手段６の画面領域３０の通知バー領域３２にバー表示情報（スライドバー表示）が表示され、この通知バー領域３２がバー表示領域３８Ｂとしても機能するように構成されている。
【００４８】
主として図９を参照して、この第２の実施形態では、制御手段１６Ｂは、情報処理手段２０及び表示切換手段２２に加えて、バー表示切換手段５２及び計時手段５４を含んでいる。バー表示切換手段５２は、通知バー領域３２に表示された通知情報を後述するようにバー表示情報（スライドバー表示）に切換表示し、かく切換表示されたときには、通知バー領域３２がバー表示領域３８Ｂとして機能し、またバー表示領域３８Ｂに表示されたバー表示情報を後述するように通知情報に切換表示し、かく切換表示されたときには、バー表示領域３８Ｂが通知バー領域３２として機能する。計時手段５４は時間を計時する。この第２の実施形態のその他の構成は、上述した第１の実施形態と実質上同一である。
【００４９】
次に、図８及び図９とともに図１０を参照して、上述した情報表示携帯端末装置２Ｂを用いたウェブサイトの情報閲覧操作について説明する。主として図１０を参照して、情報表示携帯端末装置２Ｂを用いてウェブサイトの特定のホームページ（ＨＰ）を指定するように入力操作すると、ステップＳ１１からステップＳ１２に進み、サーバ（図示せず）に登録された特定ホームページ情報が送受信手段１４を介してダウンロードされ、取得した特定ホームページ情報が情報表示携帯端末装置２の情報格納手段１８に格納される。
【００５０】
この特定ホームページ情報にスライドバー情報が含まれていないときには、ステップＳ１４からステップＳ１５に進み、情報表示携帯端末装置２の表示手段６に特定ホームページ情報が表示される。即ち、表示手段６の画面領域３０Ｂの上端部の通知バー領域３２に通知情報が表示され、この通知バー領域３２の下側のフリースペース領域３４のウィジェット領域３６に、例えば特定ホームページのアドレスが表示され、このウィジェット領域３６に続く主ページ情報領域３７に特定ホームページのホームページ主画像情報が表示される。そして、このような表示状態において、画面領域３０Ｂの主ページ表示領域３７を上側にフリックすると、ウィジェット領域３６が消えてフリースペース領域３４の全体に主ページ情報（ホームページ主画像情報）が表示され、またこのような状態から主ページ表示領域３７を下側にフリックすると、主ページ情報が下側にスライドし、ホームページ主画像情報の上端部までスライド移動すると、ウィジェット領域３６が再び現れる。尚、スライドバー情報が含まれていないときには、通知バー領域３２に通知情報が表示され、この通知バー領域３２がバー表示領域３８Ｂとして機能することはない。
【００５１】
また、特定ホームページ情報にスライドバー情報が含まれているときには、ステップＳ１４からステップＳ１６に進み、情報表示携帯端末装置２の表示手段６に、スライドバー情報を含む特定ホームページ情報が表示される。即ち、図８に示すように、特定ホームページ情報をダウンロードしたときには、表示手段６の画面領域３０の通知バー領域３２に通知情報に代えてバー表示情報（スライドバー表示）が表示される。また、この通知バー領域３２の下側のフリースペース領域３４のウィジェット領域３６に、例えば特定ホームページのアドレスが表示され、またウィジェット領域３６の下側の主ページ表示領域３７に主ページ情報（ホームページ主画像情報）が表示される（ステップＳ１７）。即ち、バー表示切換手段５２は、通知バー領域３２における表示を通知情報から特定ホームページ情報に含まれるスライドバー情報におけるバー表示情報（スライドバー表示）に切り換え、通知バー領域３２がバー表示領域３８Ｂとして機能し、このバー表示情報が通知バー領域３２（バー表示領域３８Ｂ）に表示される。
【００５２】
このように特定ホームページ情報をダウンロードしてその表示が行われると、計時手段５４が時間を計時し（ステップＳ１８）、この計時手段５４が所定時間（例えば、１〜５分程度の適宜の時間に設定される）計時すると、通知バー領域３２でのバー表示情報の表示が終了し（バー表示領域３８Ｂとしての機能が終了する）、この通知バー領域３２において通知情報が再び表示される（ステップＳ２５）。
【００５３】
通知バー領域３２がバー表示領域３８Ｂとして機能してバー表示情報が表示されている状態において、このバー表示領域３８Ｂを下側にフリースペース領域３４の下端部（即ち、画像領域３０Ｂの下端部）までスライドさせると、ステップＳ１９からステップＳ２０に進み、このフリースペース領域３４のほぼ全域（バー表示領域３８Ｂを除く領域）が主ページ表示領域３７となり、この主ページ表示領域３７にホームページ主画像情報を覆うようにしてホームページ副画像情報（例えば、検索画像情報）が表示される。この第２の実施形態においても、ホームページ副画像情報として検索画像情報が登録されているので、上述した第１の実施形態と同様に、この検索画像情報を利用することによって、ホームページ主画像情報のうち必要な情報を簡単に且つ短時間に見つけ出して表示することができる。
【００５４】
主ページ表示領域３７に表示された検索画像情報を閉じるには、画像領域３０Ｂの下端部に移動したバー表示領域３８Ｂを上述したように上側にスライド操作すればよく、かく操作すると、ステップＳ２１からステップＳ２に戻り、バー表示領域３８Ｂが上側に移動し、検索画像情報の下側に隠れていたホームページ主画像情報が主ページ表示領域３７に表示され、このようにして特定ホームページ情報を閲覧する状態に戻すことができる。
【００５５】
この第２の実施形態においては、表示手段６の通知バー領域３２をバー表示領域３８Ｂとして機能させてバー表示情報（スライドバー表示）を表示させているが、このような構成に限定されず、表示手段６の画面領域３０（３０Ｂ）にスクリーンインジケータ領域（今表示されている情報が何枚目の情報を表示する領域）が設けられている情報表示携帯端末装置においては、このスクリーンインジケータ領域をバー表示領域３８Ｂとして機能させるようにしてもよい。
【００５６】
以上、本発明に従う情報表示携帯端末装置の実施形態について説明したが、本発明はかかる実施形態に限定されるものではなく、本発明の範囲を逸脱することなく種々の変形乃至修正が可能である。
【００５７】
例えば、上述の第２の実施形態においては、表示手段６のバー表示領域３８Ｂでのバー表示情報の表示を特定ホームページ情報をダウンロードした後所定時間行い、所定時間経過後にバー表示情報の表示を終了させているが、このような技術的事項については、第１の実施形態のものにも同様に適用することができる。
【００５８】
また、例えば、表示手段６のバー表示領域３８を二つ以上に分割し、分割した領域部に対応してホームページ副画像情報を関連させる技術的事項については、この第２の実施形態にも同様に適用することができる。
【符号の説明】
【００５９】
２，２Ｂ  情報表示携帯端末装置
４  端末装置本体
６  表示手段
１６  制御手段
２０  情報処理手段
２２  表示切換手段
３０，３０Ｂ  画面領域
３２  通知バー領域
３４  フリースペース領域
３６  ウィジェット領域
３７  主ページ表示領域
３８，３８Ｂ  バー表示領域
５２  バー表示切換手段
【図１】
2014006607.tif 000003
【図２】
2014006607.tif 000004
【図３】
2014006607.tif 000005
【図４】
2014006607.tif 000006
【図５】
2014006607.tif 000007
【図６】
2014006607.tif 000008
【図７】
2014006607.tif 000009
【図８】
2014006607.tif 000010
【図９】
2014006607.tif 000011
【図１０】
2014006607.tif 000012